(57)【特許請求の範囲】
【請求項１】
コンピュータ実行可能なインストラクションを記憶する少なくとも１つのメモリと、
前記少なくとも１つのメモリに通信可能に接続されるとともに、前記コンピュータ実行可能なインストラクションを実行する少なくとも１つのプロセッサとを備えるシステムであって、前記プロセッサが：
モバイル・デバイスに関連したユーザ・アカウントを記憶するステップであって、前記ユーザ・アカウントは、ワイヤレス・プロバイダによるデュアル・モード・サービスの選択と、前記モバイル・デバイスに関するワイヤレス・ホーム・アクセス・ポイントのためのワイヤレス・ホーム・アクセス・ポイント識別子と、前記ワイヤレス・ホーム・アクセス・ポイント識別子に関連する地理的住所とを示す情報を含むステップと；
前記モバイル・デバイスからアクセス・ポイントに送信された前記デュアル・モード・サービスの要求を受信するステップと；
前記ユーザ・アカウント情報を用いて前記アクセス・ポイントのアクセス・ポイント識別子と前記ワイヤレス・ホーム・アクセス・ポイント識別子とを比較するステップと；
前記ワイヤレス・ホーム・アクセス・ポイント識別子に合致する前記アクセス・ポイント識別子に応じて前記ワイヤレス・プロバイダによる前記デュアル・モード・サービスの提供を許可するステップと、
を実行するシステム。
【請求項２】
請求項１に記載のシステムであって、前記少なくとも１つのプロセッサがコンピュータ実行可能なインストラクションとしてさらに：
前記地理的住所を含む要求であって、前記ユーザ・アカウントのための前記デュアル・モード・サービスの前記要求を受け取るステップと、
地理的住所に基づき、前記地理的住所が妥当であるかを決定するステップと、
妥当であると判断された前記地理的住所に応じて前記ユーザ・アカウントのための前記デュアル・モード・サービスをアクティブ化するステップであって、前記ユーザ・アカウントのための前記デュアル・モード・サービスをアクティブ化は前記ユーザ・アカウントのための前記地理的住所との関連を有し、
前記ワイヤレス・ホーム・アクセス・ポイントを前記モバイル・デバイスに関連付ける要求に関連して前記モバイル・デバイスから前記ワイヤレス・ホーム・アクセス・ポイント識別子を受信するステップと、
前記要求に基づき前記地理的住所を前記ワイヤレス・ホーム・アクセス・ポイント識別子に関連付けるステップと、
を実行するシステム。
【請求項３】
請求項２に記載のシステムであって、前記少なくも１つのプロセッサが、コンピュータ実行可能なインストラクションとしてさらに、
前記地理的住所のための緊急サービスの利用可能性に基づき前記地理的住所の妥当性を判断するステップを実行するシステム。
【請求項４】
請求項２に記載のシステムであって、前記少なくとも１つのプロセッサが、コンピュータ実行可能なインストラクションとしてさらに、
前記モバイル・デバイスのユーザに関する前記地理的住所を含むユーザ・アカウントのチェックに基づき前記地理的住所に対応すると判断された道路住所に従い、前記地理的住所の妥当性を判断するステップを実行するシステム。
【請求項５】
請求項２に記載のシステムであって、前記少なくとも１つのプロセッサが、コンピュータ実行可能なインストラクションとしてさらに、
アクティブ化に応じて、前記ワイヤレス・ホーム・アクセス・ポイント識別子を前記ユーザ・アカウントのためのデフォルト値に設定するステップであって、前記デフォルト値は前記ユーザ・アカウントの関数であるステップを実行するシステム。
【請求項６】
請求項５に記載のシステムであって、前記少なくとも１つのプロセッサが、コンピュータ実行可能なインストラクションとしてさらに、
アンストラクチャード・サポート・サービス・データ（ＵＳＳＤ）メッセージを介して前記モバイル・デバイスから前記ワイヤレス・アクセス・ポイント識別子を受け取り、前記ワイヤレス・ホーム・アクセス・ポイント識別子の受け取りに応じて、前記デフォルト値を前記ワイヤレス・ホーム・アクセス・ポイント識別子に関連する値に置き換えるステップを実行するシステム。
【請求項７】
請求項６に記載のシステムであって、前記少なくとも１つのプロセッサが、コンピュータ実行可能なインストラクションとしてさらに、
前記デフォルト値が存在することの決定の少なくとも一部に基づいて、前記アンストラクチャード・サポート・サービス・データ（ＵＳＳＤ）メッセージの伝送に関するアクセス・ポイントを介する前記モバイル・デバイスからのセキュア・インターネット・プロトコル・トンネルの確立を許可するステップを実行するシステム。
【請求項８】
請求項１に記載のシステムであって、前記す少なくとも１つのプロセッサが、コンピュータ実行可能なインストラクションとしてさらに、
前記ホーム・アクセス・ポイント識別子をリセットする要求を受け取るステップと、
前記ワイヤレス・ホーム・アクセス・ポイント識別子にデフォルト値をセットし、リセット・メッセージを前記モバイル・デバイスに送るステップとを実行する
システム。
【請求項９】
コンピュータ実行可能なインストラクションを記録する少なくとも１つのメモリと、
前記少なくとも１つのメモリに通信可能に接続されるとともに、前記コンピュータ実行可能なインストラクションを実行する少なくとも１つのプロセッサとを備えるモバイル・デバイスであって、前記プロセッサが：
ワイヤレス・アクセス・ポイントのアクセス・ポイント・プロファイルを記憶するステップを実行し、前記ワイヤレス・アクセス・ポイントへの接続の確立が、前記アクセス・ポイント・プロファイルに少なくとも部分的に基づいており；
前記プロセッサがさらに、
前記ワイヤレス・アクセス・ポイントのアクセス・ポイント識別子を取得するステップと：
前記アクセス・ポイント・識別子をデュアル・モード・サービス・プロバイダに提供するステップとを実行するモバイルデバイスであって、前記アクセス・ポイント識別子と、前記モバイル・デバイスのためのユーザ・アカウントにおいて定義された前記モバイル・デバイスに関連するホーム・アクセス・ポイント・デバイスための識別子との関係に応じて、前記モバイル・デバイスが前記デュアル・モード・サービス・プロバイダからデュアル・モード・サービスへのアクセスを受け取り、前記関係は前記デュアル・モード・サービス・プロバイダによって判断され、前記ユーザ・アカウントが、前記デュアル・モード・サービスの選択と、前記ホーム・アクセス・ポイント・デバイスのための前記識別子と、前記ホーム・アクセス・ポイント・デバイスに関連する地理的住所とを示す情報を含む、
モバイル・デバイス。
【請求項１０】
請求項９に記載のモバイル・デバイスであって、前記少なくとも１つのプロセッサが、コンピュータ実行可能なインストラクションとしてさらに、
前記モバイル・デバイスをアクセス・ポイント・デバイスに関係付ける要求を受け取り、使用可能なアクセス・ポイント・デバイスのグループを提供するステップを実行し、前記ホーム・アクセス・ポイント・デバイスが、使用可能なアクセス・ポイント・デバイスの前記グループから選択されるモバイル・デバイス。
【請求項１１】
請求項１０に記載のモバイル・デバイスであって、前記少なくとも１つのプロセッサがコンピュータ実行可能なインスラクションとしてさらに、
使用可能なアクセス・ポイント・デバイスのリストを、Ｓｅｒｖｉｃｅ  Ｓｅｔ  Ｉｄｅｎｔｉｆｉｅｒ（ＳＳＩＤ）の集合として表示するステップを実行するモバイル・デバイス。
【請求項１２】
請求項９に記載のモバイル・デバイスであって、前記少なくとも１つのプロセッサが、コンピュータ実行可能なインストラクションとしてさらに、
アクセス・ポイント・ブロードキャスト・メッセージを監視し、前記モバイル・デバイスによって保存されたアクセス・ポイント・プロファイルにおいて、前記アクセス・ポイント・ブロードキャスト・メッセージの１つと前記ホーム・アクセス・ポイント・デバイスとを関係付ける情報に基づき、前記ホーム・アクセス・ポイント・デバイスを識別するステップを実行するモバイル・デバイス。
【請求項１３】
請求項９に記載のモバイル・デバイスであって、前記少なくとも１つのプロセッサがコンピュータ実行可能なインストラクションとしてさらに、
前記ホーム・アクセス・ポイント・デバイスの前記アクセス・ポイント識別子を含むアンストラクチャード・サポート・サービス・データ（ＵＳＳＤ）メッセージを生成し、前記アンストラクチャード・サポート・サービス・データ（ＵＳＳＤ）メッセージを介して前記アクセス・ポイント識別子を前記デュアル・モード・サービス・プロバイダに提供するステップを実行するモバイル・デバイス。
【請求項１４】
プロセッサを含むシステムによって、アクセス・ポイントを介して前記モバイル・デバイスに関するサービスの要求を受け取るステップと、
前記モバイル・デバイスのためのユーザ・アカウントにおいて定義された前記モバイル・デバイスに関するホーム・アクセス・ポイントのためのホーム・アクセス・ポイント識別子への前記アクセス・ポイントのアクセス・ポイント識別子の一致の少なくとも部分的に基づいて前記デュアル・モード・サービスを許可するステップであって、前記ユーザ・アカウントは、前記デュアル・モード・サービスの選択を示す情報、前記ホーム・アクセス・ポイント識別子、および、前記ホーム・アクセス・ポイント識別子に関連付けられた地理的住所を含み、
前記ホーム・アクセス・ポイント識別子に関連する前記地理的位置の妥当性を判断するステップであって、前記ホーム・アクセス・ポイント識別子が、前記モバイル・デバイスによって初期化時に提供され、前記地理的な妥当性の判断が、前記地理的位置に対応する物理的住所の存在を含む、ステップと
を含む方法。
【請求項１５】
請求項１４に記載の方法において、さらに、前記デュアル・モード・サービスを許可するステップの前に、
前記デュアル・モード・サービスのアクティブ化要求を受け取るステップと、
前記ユーザ・アカウントに関連する前記地理的位置を受け取るステップと、
前記地理的位置が妥当であることに応じて、前記ユーザ・アカウントに関する前記デュアル・モード・サービスをアクティブ化するステップと、
前記ユーザ・アカウントに関連付けられた前記モバイル・デバイスの識別に基づき、前記ユーザ・アカウントの前記ホーム・アクセス・ポイント識別子の値にデフォルト値をセットするステップと、
前記ホーム・アクセス・ポイントを前記モバイル・デバイスに関連付ける要求を受信するステップであって、前記要求は前記ホーム・アクセス・ポイント識別子を含み、
前記デフォルト値を、前記ユーザ・アカウントのための前記ホーム・アクセス・ポイントに交換するステップと含む方法。
【請求項１６】
請求項１４に記載の方法において、
前記地理的位置を妥当性検査するステップが、
前記地理的位置のＰｕｂｌｉｃ  Ｓａｆｅｔｙ  Ａｎｓｗｅｒｉｎｇ  Ｐｏｉｎｔ（ＰＳＡＰ）カバレージを確認するステップと、
をさらに含む方法。
【請求項１７】
請求項１４に記載の方法であって、
前記ホーム・アクセス・ポイント識別子にデフォルト値がセットされていることと、加入者アカウントが会費を納めていることとの判定の関数として前記ホーム・アクセス・ポイント識別子を初期化するステップ
をさらに含む方法。
【請求項１８】
請求項１４に記載の方法であって、
デフォルト値への前記ホーム・アクセス・ポイント識別子の一致に少なくとも部分的に基づいて、初期化メッセージに関する前記モバイル・デバイスからのセキュア・インターネット・プロトコル・トンネルの確立を許可するステップ
をさらに含む方法。
【請求項１９】
システムに含まれるプロセッサによって、モバイル・デバイスをホーム・アクセス・ポイントに関係付けるステップと、
モバイル・デバイスによって、アクセス・ポイントを介してデュアル・モード・サービス・システムとの接続を確立するステップと、
前記アクセス・ポイントのアクセス・ポイント識別子を前記デュアル・モード・サービス・システムに送信するステップと、
前記アクセス・ポイント識別子と、前記モバイル・デバイスのためのユーザ・アカウントにおいて定義された前記モバイル・デバイスに関連付けられたホーム・アクセス・ポイントのためのホーム・アクセス・ポイント識別子との関係の決定に基づき、前記デュアル・モード・サービス・システムから、前記モバイル・デバイスにおいてデュアル・モード・サービスへのアクセスを受け取るステップであって、前記関係は前記デュアル・モード・サービス・システムによって判断され、前記ユーザ・アカウントは、複数の前記デュアル・モード・サービスのうちの１つのデュアル・モード・サービスの選択と、前記ホーム・アクセス・ポイント識別子と、前記ホーム・アクセス・ポイント識別子に関連する地理的住所とを示す情報を含むステップと、
を含む方法。
【請求項２０】
請求項１９に記載の方法であって、
前記アクセス・ポイントに関連するアクセス・ポイント・プロファイルを維持するステップと、
前記アクセス・ポイント・プロファイルの関数として前記アクセス・ポイントを識別するステップと
をさらに含む方法。
【請求項２１】
請求項２０に記載の方法であって、
前記モバイル・デバイスと、前記モバイル・デバイスに関連付けられた前記ユーザ・アカウントとを識別する情報を含むリセット・メッセージを受け取るステップと、
前記リセット・メッセージに含まれる情報に基づいて前記アクセス・ポイント・プロファイルをデフォルト値に初期化するステップと
をさらに含む方法。
【請求項２２】
請求項１９に記載の方法であって、
前記デュアル・モード・サービスに関する許可を要求するステップであって、前記要求するステップが前記地理的住所を提供するステップを含み、前記デュアル・モード・サービスが、前記地理的住所の妥当性の関数として実行可能であるステップと、
前記地理的住所を提供するステップの後に、前記モバイル・デバイスに割り当てる前記ホーム・アクセス・ポイントを選択するステップであって、前記地理的住所は、前記選択するステップの後に、前記ホーム・アクセス・ポイントに関連付けられるステップと、
をさらに含む方法。
【発明の詳細な説明】
【技術分野】
【０００１】
無線通信技術分野に関し、さらにモバイル・デバイスに関するデュアル・モード・サービスの提供を容易にするシステムに関する。
【背景技術】
【０００２】
携帯電話機産業は、最近数年間に急激な成長に関連してきた。たとえば、少し前には、携帯電話機は、値段が高く、かさばり、持ち運びにくかった。さらに、ネットワーク・カバレージは、頑健なサービスを可能にするのに十分に広範囲ではなかった。密集した人口に関連する区域だけに、広範囲の無線ネットワーク・カバレージが与えられた。対照的に、現在の携帯電話機（および他のポータブル・デバイス）は、サイズとコストとの両方を減らし、フルサービス・コンピューティング・マシンとして利用することができる。たとえば、最新の高度な携帯電話機の多くに、ワード・プロセッシング・ソフトウェア、アカウンティング・ソフトウェア、およびさまざまな他のタイプのソフトウェアを関連付けることができる。ネットワーク・カバレージは、数十億人ではないとしても数百万人のユーザをカバーするように拡大されてきた。
【０００３】
モバイル・デバイス全般、具体的には携帯電話機に関連するテクノロジの進歩は、起こり続ける。たとえば、最近の携帯電話機は、異種ネットワークを介して通信するように設計されてきた。たとえば、デュアル・モード送受話器は、携帯電話機のユーザと別の電話デバイスとの間の通信をもたらすためにセルラ・ネットワークに接続でき、さらに、ＷｉＦｉを介して無線ローカル・アクセス・ネットワーク（ＬＡＮ）に接続し、その後、Ｖｏｉｃｅ  ｏｖｅｒ  Ｉｎｔｅｒｎｅｔ  Ｐｒｏｔｏｃｏｌ（ＶｏＩＰ）を利用して、ユーザの間の通信をもたらすことができる。ＶｏＩＰの使用は、セルラ・ネットワークの使用より低いコストに関連するので、しばしばユーザにとって望ましい。実際に、一部のユーザは、実際にはインターネット・サービスについて支払うにもかかわらず、ＶｏＩＰ（または他のＩＰベース・ネットワーク）上で行われる電話呼を完全に無料と考える場合がある。
【０００４】
このデュアル・モード・サービス（ｄｕａｌ  ｍｏｄｅ  ｓｅｒｖｉｃｅ、ＤＭＳ）の実施態様は、少なくとも部分的にＴｈｉｒｄ  Ｇｅｎｅｒａｔｉｏｎ  Ｐａｒｔｎｅｒｓｈｉｐ  Ｐｒｏｊｅｃｔ（３ＧＰＰ）に起因し、３ＧＰＰは、ＩＰマルチメディア・サブシステム（ＩＭＳ）（Ｐ−ＳＣＣＦ）とユーザ機器（ＵＥ）（たとえば、携帯電話機、携帯情報端末、…）との間のセッション開始プロトコル（ＳＩＰ）信号のシグナル・インテグリティを提供する機構を定義する仕様を作成した。このインテグリティは、アイデンティティ・スプーフィング（ｉｄｅｎｔｉｔｙ  ｓｐｏｏｆｉｎｇ）、中間者（ｍａｎ−ｉｎ−ｔｈｅ−ｍｉｄｄｌｅ）攻撃、および類似物を防ぐ。ＩＭＳは、現在存在するさまざまな音声、データ、シグナリング、および制御ネットワーク要素の置換物として完全ＩＰベース無線ネットワークを定義する３ＧＰＰおよび３ＧＰＰ２の努力を表す。さらに、ＩＭＳは、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）内でのＩＰマルチメディア・アプリケーションのサポートを可能にする。ＵＭＴＳは、モバイル・コンピュータ・ユーザおよび携帯電話機ユーザに、彼らの物理的位置に関わりなくサービスの一貫したセットを提供する、テキスト、ディジタル化された音声、ビデオ、およびマルチメディアの３Ｇブロードバンド・パケットベース伝送である。
【０００５】
通信業界は、現在、全ＩＰシステムに向かって転換しつつあり、これによって、デュアル・モード・サービス送受話器を重要なツールにしつつある（これらが、既存のセルラ・システムおよび新生のＩＰシステムと互換なので）。この転換は、コストを下げ、新しい収入の流れを作り出すと同時にオペレータ・ビジネス・モデルを保護する望みによって駆り立てられたものである。ＩＭＳは、ＩＰベース・インフラストラクチャ上でのデータ、音声、およびネットワーク・テクノロジの収束を可能にすることによってこの転換を容易にする新しいサービス領域である。ユーザにとって、ＩＭＳベースのサービスは、音声、テキスト、写真、ビデオ、および／またはこれらの任意の組合せを含むさまざまなデータの、大幅に下げられたコストでの非常にパーソナライズされた安全な形での送信および受信を可能にする。要約すると、ＩＭＳは、増やされた帯域幅が提供しない、既存の伝統的遠隔通信テクノロジとインターネット・テクノロジとの間のギャップに橋を渡すように設計されている。
【０００６】
上で述べたように、これらの新生のＩＰベースのテクノロジは、デュアル・モード・サービスの需要を、したがってデュアル・モード送受話器の需要を産み出した。このテクノロジを使用すると、加入者は、ＷｉＦｉを使用して音声呼、データの伝送、および類似物を実現することができる。より詳細には、加入者は、ＷｉＦｉによってＬＡＮに接続することができる。そのような接続の際に、加入者は、彼らのサービス・プロバイダによって提供されるサービスを使用することができる。
【０００７】
ＶｏＩＰシステムおよびデュアル・モード送受話器が、より受け入れられ、優勢になるにつれて、これらのシステムは、救急サービスを含む、伝統的な電話網と同一の機能を提供することが要求されてきた。緊急状況中に、ユーザは、取り乱すか傷を負う可能性があり、年齢、病弱、怪我、または無知のいずれに起因するのであれ、正確な位置情報を提供することができなくなる可能性がある。通常、伝統的な固定回線電話網は、発呼者をローカル救急サービスに接続し、救急サービス・センタに位置情報を自動的に提供することができる。過去には、ＶｏＩＰシステムは、信頼できる形で位置情報を提供せず、Ｅｎｈａｎｃｅｄ  ９１１（Ｅ９１１）などの救急サービスへの接続さえ提供しなかった。しかし、米連邦通信委員会（ＦＣＣ）によって採用された政府規制は、今や、ＶｏＩＰプロバイダがその加入者にＥ９１１サービス機能を供給することを要求する。
【発明の概要】
【発明が解決しようとする課題】
【０００８】
デュアル・モード・サービスの提供を容易にするシステムおよび方法を提供する。
【課題を解決するための手段】
【０００９】
次で、請求される主題のいくつかの態様の基本的な理解を提供するために、単純化された要約を提示する。この要約は、広範囲の概要ではなく、請求される主題の主要な／クリティカルな要素を識別することまたはその範囲を区切ることは意図されていない。その唯一の目的は、後で提示される、より詳細な説明の前置きとして、単純化された形でいくつかの概念を提示することである。
【００１０】
請求される主題は、全般的にはデュアル・モード・サービスに関し、より具体的には、自動的に提供されるアクセス・ポイント識別子を利用してアクセスを制御できる、制限されたアクセス・ポイントを利用するデュアル・モード・サービスの提供に関する。救急サービスをサポートするために、デュアル・モード送受話器は、加入者がＰｕｂｌｉｃ  Ｓａｆｅｔｙ  Ａｎｓｗｅｒｉｎｇ  Ｐｏｉｎｔ（ＰＳＡＰ）などのローカル救急サービス・センタに接続することを可能にする。デュアル・モード送受話器は、救急サービス・センタに、そのデュアル・モード送受話器に関連する物理的住所または地理的住所を自動的に供給する。これらのＥ９１１要件は、デュアル・モード送受話器が利用できるアクセス・ポイントを制限することと、救急サービスのために関連する物理的住所を供給するように加入者に要求することとによって満足することができる。
【００１１】
本明細書で説明するシステムおよび方法は、加入者アカウントに関するデュアル・モード・サービスの提供の前に、有効な物理的住所を供給するように加入者に要求する。物理的住所は、デュアル・モード・サービス・アクティブ化中に供給することができ、住所位置の救急サービスの可用性に基づいて妥当性検査することができる。加入者アカウントに関連するデュアル・モード送受話器を、加入者の選択したアクセス・ポイントに制限することができる。たとえば、加入者は、アクティブ化中に自宅住所を供給し、その後、その加入者の送受話器のデュアル・モード・サービスを自宅に配置されたアクセス・ポイントに制限することができる。その結果、送受話器がデュアル・モード・サービスにアクセスする時には、その送受話器は、必ず、加入者の自宅に配置されたアクセス・ポイントを介して接続する。必要な場合に、加入者の自宅住所は、デュアル・モード・サービス・プロバイダによってＥ９１１に自動的に供給されるのに使用可能になる。
【００１２】
初期化プロセス中に、加入者は、デュアル・モード・サービス用の特定のアクセス・ポイントを選択する。選択されたアクセス・ポイントのアクセス・ポイント識別子（たとえば、ＭＡＣ−ＩＤ）を、自動的に取り込み、デュアル・モード・サービス・プロバイダに直接に供給することができる。サービス・プロバイダは、この供給されたアクセス・ポイント識別子を利用して、接続が代替アクセス・ポイントを介して試みられる場合にサービスを拒否することによって送受話器を制限することができる。さらに、初期化されたならば、送受話器は、選択されたアクセス・ポイントの情報を保持することができ、選択されたアクセス・ポイントを介してのみ接続を試みることができる。
【００１３】
正確さおよび有用性を高めるために、アクセス・ポイント識別子を、送受話器によって自動的に取り込むことができる。アクセス・ポイントから送受話器へのアクセス・ポイント識別子の直接送信は、エラーの可能性を下げる。具体的に言うと、加入者によるトランスクリプション・エラーの可能性が軽減される。さらに、加入者は、アクセス・ポイント識別子を突き止めるのに苦労する場合がある。自動取込は、初期化プロセス中の加入者の労力を減らす。
【００１４】
前述の目的および関連する目的の達成のために、ある種の例示的な態様を、次の説明および添付図面に関して本明細書で説明する。しかし、これらの態様は、本明細書で開示される原理を実施できるさまざまな形のうちの少数を示すのみであり、そのような態様およびその同等物のすべてを含むことが意図されている。他の利益および新規の特徴は、図面と共に検討される時に、次の詳細な説明から明白になるであろう。
【図面の簡単な説明】
【００１５】
【図１】デュアル・モード・サービスの提供を容易にするシステムを示す高水準ブロック図である。
【図２】加入者アカウントのデュアル・モード・サービスのアクティブ化を容易にするシステムを示すブロック図である。
【図３】加入者アカウントのデュアル・モード・サービスの初期化を容易にするシステムを示すブロック図である。
【図４】デュアル・モード・サービスが提供される無線環境を示す代表的な図である。
【図５】加入者アカウントに関連するアクセス・ポイントをリセットするシステムを示すブロック図である。
【図６】加入者アカウントのデュアル・モード・サービスをアクティブ化する方法論を示す代表的な流れ図である。
【図７】加入者アカウントのデュアル・モード・サービスを初期化する方法論を示す代表的な流れ図である。
【図８】加入者アカウントのデュアル・モード・サービスの初期化中に送受話器をアクセス・ポイントに関係付ける方法論を示す代表的な流れ図である。
【図９】デュアル・モード・サービスにアクセスする方法論を示す代表的な流れ図である。
【図１０】加入者アカウントの選択されたアクセス・ポイントを検出する方法論を示す代表的な流れ図である。
【図１１】デュアル・モード送受話器のアクセス・ポイントをリセットする方法論を示す代表的な流れ図である。
【図１２】本明細書で説明するさまざまな態様に関して使用できる例示的なコンピューティング環境を示す図である。
【図１３】例示的なネットワーキング環境を示す図である。
【発明を実施するための形態】
【００１６】
請求される主題を、これから図面を参照して説明するが、類似する符号は、図面全体を通じて類似する要素を指すのに使用される。次の説明では、説明のために、請求される主題の完全な理解を提供するために多数の具体的な詳細を示す。しかし、そのような主題を、これらの特定の詳細なしに実践できることは明白であろう。他の場合には、周知の構造およびデバイスは、請求される主題の説明を容易にするために、ブロック図形式で示す。
【００１７】
本明細書で使用される時に、用語「コンポーネント」および「システム」は、ハードウェア、ハードウェアおよびソフトウェアの組合せ、ソフトウェア、または実行中のソフトウェアのいずれであれ、コンピュータ関連の実体を指すことが意図されている。たとえば、コンポーネントは、プロセッサで動作するプロセス、プロセッサ、ハード・ディスク・ドライブ、複数のストレージ・ドライブ（光記憶媒体および／または磁気記憶媒体の）、オブジェクト、実行可能ファイル、実行のスレッド、プログラム、および／またはコンピュータとすることができるが、そうであることに限定はされない。たとえば、サーバで動作するアプリケーションとサーバとの両方を、コンポーネントとすることができる。１つまたは複数のコンポーネントが、プロセスおよび／または実行のスレッド内に常駐することができ、１つのコンポーネントが、１つのコンピュータに局所化され、かつ／または複数のコンピュータの間で分散されることが可能である。
【００１８】
さらに、請求される主題は、開示される主題を実施するために携帯送受話器などのコンピューティング・デバイスを制御する、ソフトウェア、ファームウェア、ハードウェア、またはこれらの任意の組合せを作るために標準プログラミング技法および／または標準工学技法を使用する方法、装置、または製造品として実施することができる。用語「製造品」は、本明細書で使われる時に、任意のコンピュータ可読デバイス、担体、または媒体からアクセス可能なコンピュータ・プログラムを含むことが意図されている。たとえば、コンピュータ可読媒体は、磁気記憶デバイス（たとえば、ハード・ディスク、フロッピ・ディスク、磁気ストライプ…）、光ディスク（たとえば、コンパクト・ディスク（ＣＤ）、ディジタル多用途ディスク（ＤＶＤ）…）、スマート・カード、およびフラッシュ・メモリ・デバイス（たとえば、カード、スティック、キー・ドライブ…）を含むことができるが、これらに限定はされない。さらに、搬送波を使用して、電子メールの送信および受信に使用されるものまたはインターネットもしくはローカル・エリア・ネットワーク（ＬＡＮ）などのネットワークにアクセスするのに使用されるものなどのコンピュータ可読電子データを搬送することができることを了解されたい。もちろん、当業者は、請求される主題の範囲または趣旨から逸脱せずにこの構成に対して多数の変更を行うことができることを認めるであろう。さらに、単語「例示的」は、本明細書では、例、実例、または例示として働くことを意図されている。本明細書で「例示的」として説明される態様または設計は、必ずしも他の態様または設計に対して好ましいまたは有利とは解釈されない。
【００１９】
ここで図面に移ると、図１には、デュアル・モード送受話器に関するＥ９１１サービスの提供を容易にするシステム１００が示されている。システム１００は、デュアル・モード送受話器を指定されたアクセス・ポイントに制限することと、サービスの提供の前に有効な物理的住所を提供するようにユーザに要求することとによって、必要な住所情報がＥ９１１に関して使用可能であることを保証する。一意のアクセス・ポイント識別子が、デュアル・モード・サービスへのアクセスを制御するのに使用される。このシステムには、１つまたは複数のデュアル・モード送受話器１０２を含めることができる。ここで、デュアル・モード送受話器１０２には、セルラ・ネットワークを利用し、ＷｉＦｉアクセス・ポイントを介して無線ローカル・アクセス・ネットワーク（ＬＡＮ）に接続でき、その後、Ｖｏｉｃｅ  ｏｖｅｒ  Ｉｎｔｅｒｎｅｔ  Ｐｒｏｔｏｃｏｌ（ＶｏＩＰ）を使用してモバイル・デバイスのユーザと別のモバイル・デバイスとの間の通信を実現できる、すべてのモバイル・デバイスを含めることができる。任意の個数のデュアル・モード送受話器に、サービスを提供することができる。具体的に言うと、デュアル・モード送受話器は、ＬＡＮに接続して、無線アクセス・ポイント１０４を介してＶｏＩＰを利用することができる。
【００２０】
下で図３および７に関して詳細に述べる初期化プロセス中に、デュアル・モード送受話器１０２を、特定のアクセス・ポイント１０４に関係付けるかこれと対にし、指定されたまたは関係付けられたアクセス・ポイント１０４を介してＶｏＩＰを使用する接続に制限することができる。アクセス・ポイント・マネージャ・コンポーネント１０６は、アクセス・ポイント・ブロードキャストを監視し、関係付けられたアクセス・ポイントを検出した時に接続することができる。送受話器１０２には、アクセス・ポイントすなわち（ＡＰ）プロファイル・データ・ストア１０８を含めることができ、ＡＰプロファイル・データ・ストア１０８は、送受話器が関係付けられるか対にされたアクセス・ポイントに関する情報を含むアクセス・ポイント・プロファイルを維持する。この情報には、本明細書でＡＰ−ＩＤとも称するアクセス・ポイント識別子を含めることができる。アクセス・ポイント識別子は、メディア・アクセス・コントローラ識別子（ＭＡＣ−ＩＤ）など、特定のアクセス・ポイントをそれによって区別できる一意のコードである。正確さを保証するために、送受話器１０２は、選択されたアクセス・ポイント１０４から直接にアクセス・ポイント識別子を自動的に入手することができる。
【００２１】
加入者による介入なしのアクセス・ポイントから直接のアクセス・ポイント識別子の取出しは、正確さを高めると同時にシステム・ユーザビリティを高めることができる。たとえば、ＭＡＣ−ＩＤを、アクセス・ポイントに与えられる文書に埋め込むか、おそらくはデバイス自体に取り付ける（たとえば、デバイスの底に刻印する）ことができる。ユーザの案内を介する単一のコードの検索またはデバイスの底に刻印された番号の突き止めは、加入者をいらいらさせる可能性がある。したがって、ＭＡＣ−ＩＤの自動提供は、初期化中に加入者に要求される努力を減らす。さらに、ＭＡＣ−ＩＤなどのアクセス・ポイント識別子の自動提供は、正確さを高めることができる。長いコードを誤ってタイプすることは、特に簡単である。というのは、それらのコードが、周知の綴りまたは簡単に区別できるパターンを有しないからである。送受話器１０２がアクセス・ポイント１０４から直接にアクセス・ポイント識別子を取り出す時には、誤りの１つの可能な源が除去される。
【００２２】
ＡＰプロファイル・データ・ストア１０８内で維持されるアクセス・ポイント・プロファイルには、Ｓｅｒｖｉｃｅ  Ｓｅｔ  Ｉｄｅｎｔｉｆｉｅｒ（ＳＳＩＤ）をも含めることができる。アクセス・ポイント１０４は、通常、デバイスを可能なサービスに通報し、アクセス・ポイント１０４を識別するために、ＳＳＩＤをブロードキャストする。アクセス・ポイント・マネージャ・コンポーネント１０６は、ＳＳＩＤまたは他のアクセス・ポイント情報を利用して、それが関係付けられた特定のアクセス・ポイント１０４を識別し、接続をその関係付けられたアクセス・ポイントに制限する。
【００２３】
デュアル・モード送受話器１０２は、アクセス・ポイント１０４を介してデュアル・モード・サービス・システム１１０に接続することができる。送受話器１０２からのサービスを求める要求の際に、送受話器許可コンポーネント１１２は、送受話器１０２に関連する加入者アカウントに基づいて、加入者プロファイル・データ・ストア１１４から加入者プロファイルを取り出すことができる。加入者プロファイルは、加入者がデュアル・モード・サービス特徴をアクティブ化したことを検証するのに使用することができる。加入者アカウントに関連する加入者プロファイルには、加入者がデュアル・モード・サービスを選択したかどうかを示すインジケータ、ならびに送受話器が関係付けられるか対にされたアクセス・ポイントを指定するホーム・アクセス・ポイント識別子を含めることができる。送受話器許可コンポーネント１１２は、送受話器が現在そこからサービスを要求しているアクセス・ポイントのアクセス・ポイント識別子と、加入者プロファイル・データ・ストア１１４内で維持されるホーム・アクセス・ポイント識別子とを比較することができる。送受話器１０２に関するサービスの許可は、少なくとも部分的にこの比較に基づくものとすることができる。加入者プロファイルには、加入者アカウントの物理的情報または地理的情報をも含めることができ、これによって、加入者プロファイルをホーム・アクセス・ポイント識別子に関連付けることができる。送受話器が事前定義のホーム・アクセス・ポイントを介して接続していることを保証することによって、デュアル・モード・サービス・システム１１０は、物理的住所をＥ９１１サービスに提供できることを保証することができる。
【００２４】
ＩＭＳネットワーク内では、Ｈｏｍｅ  Ｓｕｂｓｃｒｉｂｅｒ  Ｓｅｒｖｅｒ（ＨＳＳ）が、必須の加入関連情報を維持する、加入者プロファイル・データ・ストア１１４として働くことができる。送受話器許可コンポーネント１１２は、認証および許可（ＡＡＡ）サーバとして実施することができ、このＡＡＡサーバは、送受話器１０２とＩＭＳネットワーク・コアとの間のセキュアＩＰ  ｓｅｃｕｒｉｔｙ（ＩＰｓｅｃ）トンネルの確立を許可する前に、加入者プロファイルとアクセス・ポイント識別子との両方を検証する。
【００２５】
ここで図２を参照すると、デュアル・モード・サービスへの加入またはそのアクティブ化を容易にするシステム２００が示されている。このシステムは、加入者または潜在的な加入者からデュアル・モード・サービスの要求を受け取るユーザ・インターフェース２０２を含む。ユーザ・インターフェース２０２には、ウェブ・ページ、自動化電話システム、または人間の代理人を含むがこれらに限定はされない、デュアル・モード・サービスを選択することの望みを加入者が通信することを可能にする任意の形またはタイプのインターフェースを含めることができる。ユーザ・インターフェース２０２は、加入者と通信し、加入者要求を受け取り、加入プロセスを作動させることができるものとすることができる。
【００２６】
加入またはアクティブ化プロセス中に、ユーザ・インターフェース２０２は、Ｅ９１１サービスに関連する地理的住所を入手することができる。地理的住所は、それから位置を判定できる任意のフォーマット（例えば、道路住所または緯度および経度）で提供することができる。地理的住所は、加入者が入力することができる（たとえば、キーボード、タブレット、音声認識ソフトウェア、および類似物を介して）。それに加えてまたはその代わりに、地理的住所を、加入者の現在位置に関する情報（ＧＰＳ、ラジオ・ロケーション、または他の位置決め方法を介して判定される）または加入者の現在の情報（たとえば、請求書の控え）に基づいて自動的に判定することができる。地理的住所を、正確さを保証するための確認のためにユーザ・インターフェース２０２によって加入者に提供することができる。
【００２７】
住所妥当性検査コンポーネント２０４は、入手された地理的住所を評価し、その住所が有効であり、救急サービス目的に使用可能であるかどうかを分析することができる。Ｅ９１１サービス・コンポーネント２０６は、受け取られた住所がＥ９１１カバレージを有する区域内であるかどうかを評価することができる。住所を地域別分類することができ、その位置の範囲内にＰｕｂｌｉｃ  Ｓａｆｅｔｙ  Ａｎｓｗｅｒｉｎｇ  Ｐｏｉｎｔ（ＰＳＡＰ）があるかどうかに関する判定を行うことができる。所在地住所コンポーネント２０８は、入手された物理的住所が有効であるかどうかを、適当な都市または地域のＭａｓｔｅｒ  Ｓｔｒｅｅｔ  Ａｄｄｒｅｓｓ  Ｇｕｉｄｅ（ＭＳＡＧ）を使用して判定することができる。入手された物理的住所を加入者の請求情報と比較して、住所妥当性検査を支援することもできる。請求妥当性検査コンポーネント２１０は、入手された物理的住所を加入者に関連する請求先住所とクロス・チェックすることができる。物理的住所が請求先住所と異なる場合には、ユーザ・インターフェース２０２は、加入者に照会し、Ｅ９１１サービスの別々の住所を確認することができる。
【００２８】
アクティブ化コンポーネント２１２は、加入者に関してデュアル・モード・サービスをアクティブ化することができる。アクティブ化コンポーネント２１２は、加入者プロファイル・データ・ストア１１４内で維持される加入者プロファイルを更新しまたは作成して、加入者がデュアル・モード・サービスを選択したことを示すことができる。加入者プロファイルには、入手された物理的住所およびデュアル・モード・サービスが選択されたことのインジケータを含めることができる。さらに、加入者プロファイルには、ホーム・アクセス・ポイント識別子を含めることができ、このホーム・アクセス・ポイント識別子には、加入プロセス中にアクティブ化コンポーネント２１２によってデフォルト値をセットすることができる。
【００２９】
ここで図３および４を参照すると、図３には、デュアル・モード・サービスを初期化するシステム３００が示され、図４には、デュアル・モード・サービス送受話器の動作環境が示されている。図３に示されているように、初期化中に、デュアル・モード送受話器１０２を、特定のアクセス・ポイント１０４に関係付けることができ、送受話器１０２用のＶｏＩＰサービスが、関係付けられたアクセス・ポイント１０４に制限されるようになる。デュアル・モード送受話器には、加入者が初期化プロセスを開始することを可能にする送受話器ユーザ・インターフェース３０２を含めることができる。送受話器ユーザ・インターフェース３０２は、検出されたアクセス・ポイント１０４のリストを加入者に与え、アクセス・ポイントを選択するように加入者に促すことができる。たとえば、このリストは、使用可能なアクセス・ポイントのＳＳＩＤを表示することができる。送受話器１０２をアクセス・ポイント１０４に関係付けるプロセス中に、選択されたアクセス・ポイント１０４のアクセス・ポイント識別子を、送受話器１０２のアクセス・ポイント・マネージャ・コンポーネント１０６によって入手することができる。アクセス・ポイント・マネージャ・コンポーネント１０６は、アクセス・ポイント１０４を介するデュアル・モード・サービス・システム１１０への送信用のアクセス・ポイント初期化メッセージを形成することができる。たとえば、アクセス・ポイント・マネージャ・コンポーネント１０６は、Ｕｎｓｔｒｕｃｔｕｒｅｄ  Ｓｕｐｐｏｒｔ  Ｓｅｒｖｉｃｅｓ  Ｄａｔａ（ＵＳＳＤ）メッセージを形成することができる。ＵＳＳＤメッセージは、周知であり、複数のサービスに有用であり、このシナリオについてアクセス・ポイント識別子を含むように変更され得る。
【００３０】
送受話器１０２は、アクセス・ポイント１０４を介するデュアル・モード・サービス・プロバイダ１１０への通信を確立することができる。当初に、送受話器１０２は、アクセス・ポイント１０４へのリンク（たとえば、ＩＥＥＥ  ８０２．１１リンク）を確立することができる。送受話器１０２が、アクセス・ポイント１０４へのリンクを確立したならば、送受話器１０２は、デュアル・モード・サービス・システム１１０へのセキュア・トンネル確立に備えて、Ｉｎｔｅｒｎｅｔ  Ｋｅｙ  Ｅｘｃｈａｎｇｅ（ＩＫＥ）認証を開始することができる。ＩＫＥ認証の開始時に、送受話器許可コンポーネント１１２は、加入者プロファイルを取り出すために加入者プロファイル・データ・ストア１１４にアクセスし、加入者がデュアル・モード・サービスを有するかどうかと、送受話器１０２によって供給されたアクセス・ポイント識別子が加入者プロファイル内で維持されるホーム・アクセス・ポイント識別子と一致するか、ホーム・アクセス・ポイント識別子にデフォルト値がセットされているかのいずれかであるかどうかとを判定することができる。
【００３１】
加入者が、デュアル・モード・サービスに加入していない場合には、送受話器許可コンポーネント１１２は、送受話器１０２へのサービスを拒否する。さらに、現在のアクセス・ポイント１０４が、送受話器１０２が関係付けられているアクセス・ポイントではなく、ホーム・アクセス・ポイント識別子にデフォルト値がセットされていない場合には、送受話器許可コンポーネント１１２は、送受話器１０２へのサービスを拒否する。ホーム・アクセス・ポイント識別子のデフォルト値は、デュアル・モード・サービスがアクティブ化されているが、特定のアクセス・ポイントに対して初期化されていないことを示す。したがって、ホーム・アクセス・ポイント識別子がデフォルト値と等しい場合には、初期化プロセスが継続される。
【００３２】
送受話器許可コンポーネント１１２は、サービスの前提条件として、加入者が有効な無線サービスを有するかどうかを判定することもできる。送受話器許可コンポーネント１１２（たとえば、ＡＡＡサーバ）は、モバイル・サービス・プロバイダのＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）のＨｏｍｅ  Ｌｏｃａｔｉｏｎ  Ｒｅｇｉｓｔｅｒ（ＨＬＲ）に照会して、ＥＡＰ−ＳＩＭ（Ｅｘｔｅｎｓｉｂｌｅ  Ａｕｔｈｅｎｔｉｃａｔｉｏｎ  Ｐｒｏｔｏｃｏｌ  ｆｏｒ  Ｓｕｂｓｃｒｉｂｅｒ  Ｉｄｅｎｔｉｔｙ  Ｍｏｄｕｌｅ）認証情報を返すことができる。送受話器許可コンポーネント１１２は、加入者が有効なモバイル・サービスを有しない場合に、サービスを拒否することができる。
【００３３】
デュアル・モード送受話器１０２が登録され、デュアル・モード・サービス・システム１１０とのセキュア・トンネルが確立されたならば、送受話器１０２は、アクセス・ポイント初期化メッセージを自動的に送信することができ、これによって、通信のために特定のアクセス・ポイント１０４が選択される。アクセス・ポイント初期化コンポーネント３０４は、アクセス・ポイント初期化メッセージ内のアクセス・ポイント識別子を利用して、加入者プロファイル・データ・ストア１１４内で維持される加入者プロファイルを更新することができる。
【００３４】
具体的に言うと、アクセス・ポイント初期化メッセージが、ＵＳＳＤメッセージとして実施される場合に、そのメッセージを、セキュア・リンクを介してＨＬＲによって受信し、ＵＳＳＤサーバに転送することができる。このＵＳＳＤサーバを、アクセス・ポイント許可メッセージをフォーマットし、アクセス・ポイント識別子を用いてすべての請求システム・レコードを更新するようにプログラムすることができる。スイッチ制御プロセスは、アクセス・ポイント識別子を加入者プロファイル・データ・ストア１１４（たとえば、ＨＳＳ）に供給し、その中のデフォルト値を置換することができる。加入者プロファイル・データ・ストア１１４は、ＵＳＳＤサーバに肯定応答を送信することができ、このＵＳＳＤサーバは、送受話器１０２に肯定応答を送信し、アクセス・ポイント識別子が成功して初期化されたことを示すことができる。
【００３５】
ここで図４を参照すると、デュアル・モード送受話器１０２の動作環境を示す代表的な図４００が示されている。この図では、デュアル・モード送受話器１０２は、現在、２つの異なるアクセス・ポイントのカバレージ・エリア４０２および４０４内に配置されている。無線アクセス・ポイントの増加する普及を考えれば、送受話器１０２は、頻繁に、複数のアクセス・ポイントのカバレージ・エリア内にある。ここでは図を単純にするために２つだけが図示されているが、複数のアクセス・ポイント・カバレージ・エリアがオーバーラップする可能性がある。加入者は、使用可能なアクセス・ポイントのうちの１つを選択することができる。
【００３６】
アクセス・ポイント・カバレージ・エリア４０２および４０４は、はるかにより大きいＧＳＭカバレージ・エリア４０６内に配置され得る。デュアル・モード・サービスが初期化されたならば、加入者は、セルラ・サービスの可能な料金を避けるために、選択されたアクセス・ポイント・カバレージ・エリア４０２または４０４に入る時にＶｏＩＰサービスに自動的に切り替えることを望む可能性がある。したがって、送受話器１０２は、アクセス・ポイントのブロードキャスト・メッセージを監視して、送受話器１０２が選択されたアクセス・ポイントのカバレージ・エリアに入る時を判定することができる。
【００３７】
ここで図５を参照すると、選択されたデュアル・モード・サービス・アクセス・ポイントをリセットするシステム５００が示されている。送受話器に関して選択されたアクセス・ポイントを、アクセス・ポイントの更新に備えてリセットすることができる。たとえば、加入者が、新しいアクセス・ポイントを購入し、新たに獲得されたアクセス・ポイントにサービスを切り替えることができる。送受話器１０２を新しいアクセス・ポイントと共に利用できる前に、デュアル・モード・サービス用のアクセス・ポイントをリセットし、または再初期化しなければならない。さらに、加入者が、デュアル・モード・サービスを中止する場合に、システム５００は、デュアル・モード・サービスの休止をもたらすことができる。
【００３８】
システム５００には、加入者からの、デュアル・モード送受話器に関係付けられたアクセス・ポイントをリセットする要求またはデュアル・モード・サービスを中止する要求を受け取るリセット・ユーザ・インターフェース５０２を含めることができる。リセット・ユーザ・インターフェース５０２には、ウェブ・ページ、自動化電話システム、または人間の代理人を含むがこれらに限定はされない、デュアル・モード・サービスをリセットするか中止することの望みを加入者が通信することを可能にする任意の形またはタイプのインターフェースを含めることができる。リセット・ユーザ・インターフェース５０２は、加入者識別子（たとえば、ＭＳＩＳＤＮ）を含む情報を入手し、加入者のアイデンティティを検証し、関係付けられたアクセス・ポイントのリセットを要求する。代替案では、送受話器に関するアクセス・ポイントをリセットする要求を、自動的に生成することができる。たとえば、加入者が、デュアル・モード・サービスに関連する料金を支払うことができない場合に、リセット要求を、請求システムによって生成することができ、サービスを中止することができる。
【００３９】
リセット・コンポーネント５０４は、アクセス・ポイントをリセットする要求または加入者のデュアル・モード・サービスを削除する要求に応答することができる。リセット・コンポーネント５０４には、プロファイル・リセット・コンポーネント５０６を含めることができ、プロファイル・リセット・コンポーネント５０６は、加入者プロファイル・データ・ストア１１４から加入者プロファイルを入手し、ホーム・アクセス・ポイント識別子をデフォルト値にリセットする。さらに、デュアル・モード・サービスが取り消されている場合には、リセット・コンポーネント５０４は、加入者がデュアル・モード・サービスを受けないことを示すように加入者プロファイルを変更することができる。リセット・コンポーネント５０４には、デュアル・モード送受話器１０２のリセットまたは取消を生成する送受話器リセット・コンポーネント５０８をも含めることができる。リセット・メッセージまたは取消メッセージを受け取った際に、アクセス・ポイント・マネージャ・コンポーネント１０６は、ＡＰプロファイル・データ・ストア１０８内に格納されたアクセス・ポイント・プロファイルをリセットし、またはクリアすることができる。アクセス・ポイント・プロファイルがクリアされる時に、送受話器は、もはや、アクセス・ポイント・ブロードキャスト・メッセージを監視する必要がない。
【００４０】
選択されたアクセス・ポイントのリセットの要求は、加入者の情況の変化を示すことができる。アクセス・ポイント情報の更新に加えて、加入者に、既存の物理的住所を確認するか新しい物理的住所を入力するように促すことができる。加入者に、別々のリセット・ユーザ・インターフェース５０２を介してまたは送受話器を介して促すことができる。
【００４１】
本明細書のシステムを、送受話器を単一の物理的住所に関連する単一のアクセス・ポイントに制限するものとして説明してきた。代替案では、これらのシステムを、制限された個数の物理的住所および関連するアクセス・ポイントを提供するように適合させることができる。救急サービス用の位置情報を提供するためには、各アクセス・ポイントが単一の物理的住所に関連することがクリティカルである。しかし、これらのシステムを、それぞれが特定のアクセス・ポイントに関連する制限された個数の物理的住所を提供するように適合させることが可能である。アクティブ化中に、このシステムは、加入者アカウントに関連する物理的住所の制限されたセット（たとえば、加入者の自宅、別荘、およびオフィス）の入力を提供することができる。各物理的住所は、別々の関連するホーム・アクセス・ポイント識別子を有することができる。物理的住所のいずれかが妥当性検査される場合に、加入者プロファイルを更新することができ、デュアル・モード・サービスをアクティブ化することができる。各有効な住所のホーム・アクセス・ポイント識別子に、デフォルト値をセットすることができる。すべての無効な住所のホーム・アクセス・ポイント識別子または住所が提供されなかった場合のホーム・アクセス・ポイント識別子に、無効デフォルト値をセットすることができる。
【００４２】
初期化中に、特定の物理的住所を、特定のアクセス・ポイントに関連付けることができる。上で単一住所システムに関して説明したように、加入者は、初期化プロセスを開始し、使用可能なアクセス・ポイントのリストからアクセス・ポイントを選択し、デュアル・モード・サービス・システムへの接続を開始することができる。ここで、送受話器許可コンポーネントによって実行される分析は、上で単一物理的住所システムで説明した分析から変化する。現在の事例では、現在のアクセス・ポイント識別子が、ホーム・アクセス・ポイント識別子のいずれかと一致する場合に、サービスが提供され、一致するホーム・アクセス・ポイント識別子に関連する物理的住所が、救急サービスへの提供のために必要に応じて記録される。現在のアクセス・ポイント識別子が、ホーム・アクセス・ポイント識別子のどれとも一致せず、ホーム・アクセス・ポイント識別子のどれにもデフォルト値がセットされていない場合には、サービスは拒否される。
【００４３】
現在のアクセス・ポイント識別子が、ホーム・アクセス・ポイント識別子のどれとも一致せず、ホーム・アクセス・ポイント識別子のうちの１つまたは複数にデフォルト値がセットされている場合には、送受話器許可コンポーネントは、有効な物理的住所のリストを送受話器に与えることができる。加入者は、与えられた物理的住所のうちの１つを選択することができ、選択された物理的住所を識別し、関連するアクセス・ポイント識別子を提供するアクセス・ポイント初期化メッセージによって応答することができる。加入者プロファイルを更新することができ、選択された物理的住所に関連するホーム・アクセス・ポイント識別子に、提供されたアクセス・ポイント識別子がセットされる。送受話器は、その送受話器に関連する各アクセス・ポイントのアクセス・ポイント・プロファイルを維持することができ、関連するアクセス・ポイントのいずれかを介してデュアル・モード・サービスに接続することができる。現在のアクセス・ポイントの識別子を使用して、Ｅ９１１目的に提供される適当な物理的住所を選択することができる。
【００４４】
図６〜１０を参照すると、請求される主題のさまざまな態様による方法論が示されている。説明を単純にするために、これらの方法論を、一連の動作として図示し、説明するが、一部の動作を図示され本明細書で説明されるものと異なる順序でおよび／または他の動作と同時に行うことができるので、請求される主題が、動作の順序によって限定されないことを理解し、了解されたい。たとえば、当業者は、方法論を、その代わりに、状態図でなど、一連の相互に関連する状態またはイベントとして表すことができることを理解し、了解するであろう。さらに、図示された動作の一部が、請求される主題による方法論の実施に必要ではない場合がある。さらに、以下および本明細書全体で開示される方法論を、そのような方法論の搬送およびコンピュータへの転送を容易にするために製造品に格納できることをさらに了解されたい。用語製造品は、本明細書で使用される時に、すべてのコンピュータ可読デバイス、担体、または媒体からアクセス可能なコンピュータ・プログラムを含むことが意図されている。
【００４５】
具体的には図６を参照すると、デュアル・モード・サービスをアクティブ化しまたはこれに加入する方法論６００が示されている。符号６０２で、デュアル・モード・サービスの要求を受け取る。この要求は、書類で、電話通信を介して、ウェブサイトを介して、またはデュアル・モード・サービスを用いる通信に関する任意の他の手段を介して受け取ることができる。加入者アカウントの物理的なまたは地理的な住所または位置の情報を、符号６０４で受け取る。この物理的住所は、サービスの初期要求に含めるか、別々に供給するか、デュアル・モード・サービスからのプロンプトに応答して供給することができる。
【００４６】
符号６０６で、住所情報を妥当性検査する。妥当性検査には、対応する緯度座標および経度座標を計算するための物理的住所の地域別分類と、ＰＳＡＰがある場合に、どのＰＳＡＰがその物理的住所位置にサービスを提供できるかを判定することとを含めることができる。どのＰＳＡＰもカバレージを提供しない場合には、デュアル・モード・サービス・プロバイダは、必要なＥ９１１要件を満足できない可能性があり、その物理的住所は、デュアル・モード・サービスにおいて無効化され得る。提供された物理的住所を、ＭＳＡＧを利用して実際の所在地住所に関して妥当性検査することもできる。物理的住所を、ＭＳＡＧと共に使用するのに適当なフォーマットに変換することができ、その物理的住所に対応する有効な所在地住所があるかどうかを判定することができる。最後に、妥当性検査には、加入者がその加入者に対応する物理的住所を提供したことを保証するための、請求書の控えまたは入手可能な公共財産記録に基づくクロス・チェックを含めることができる。加入者に、表面上は関連しない位置が救急サービスに利用される所望の住所であることを確認するように促すことができる。
【００４７】
妥当性検査の後に、提供された物理的住所情報が妥当性検査されたかどうかに関する判定を、符号６０８で行う。住所が無効である場合には、可能な問題について加入者に通知し、新しい物理的住所情報を要求するメッセージを、符号６１０で生成することができる。符号６１２で、加入プロセスを継続するかどうかに関する判定を行う。そうである場合には、６０４で新しい物理的住所情報を入手する。そうでない場合には、このプロセスは終了する。
【００４８】
物理的住所情報が有効であると判定された場合には、符号６１４で、デュアル・モード・サービスをアクティブ化する。アクティブ化には、デュアル・モード・サービスの選択を示すために加入者アカウントの加入者レコードを更新することを含めることができる。さらに、提供された物理的住所を、Ｅ９１１サービスおよび類似物のための後の取出しのために格納することができる。符号６１６で、ホーム・アクセス・ポイント識別子にデフォルト値をセットする。このデフォルト値は、定数（たとえば、すべて１）とすることができる。その代わりに、個別化されたデフォルト値を、加入者ごとに生成することができる。このデフォルト値は、加入者アイデンティティに基づいて生成することができる。たとえば、デフォルト値を、加入者アカウントのＭｏｂｉｌｅ  Ｓｕｂｓｃｒｉｂｅｒ  ＩＳＤＮ  Ｎｕｍｂｅｒ（ＭＳＩＳＤＮ）（たとえば、電話番号）またはＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＳＭＳＩ）の関数とすることができる。個々のデフォルト値の生成は、デュアル・モード・サービス・システムのセキュリティを高めることができる。個々のデフォルト値を操作するために、許可されない個人は、単一のデフォルト値を単純に推理するのではなく、デフォルト値を生成するアルゴリズムを判定しなければならなくなるはずである。
【００４９】
ここで図７を参照すると、デュアル・モード・サービス送受話器を初期化する方法論７００が示されている。符号７０２で、送受話器を、アクセス・ポイントに関係付けるかアクセス・ポイントと対にする。関係付けプロセスまたは対にするプロセスは、下で図８に関して詳細に説明する。対にする間に、送受話器が関係付けられるアクセス・ポイントのアクセス・ポイント識別子が入手される。符号７０４で、接続が、送受話器とデュアル・モード・サービス・システムとの間で確立される。接続の確立には、送受話器とアクセス・ポイントとの間でＩＥＥＥ  ８０２．１１リンクを初期化することと、デュアル・モード・サービス・システムとのＩＫＥ認証を開始することとを含めることができる。
【００５０】
接続が確立されたならば、本明細書で現在のアクセス・ポイントと称する、送受話器に接続サービスを現在提供しているアクセス・ポイントのアクセス・ポイント識別子を、デュアル・モード・サービス・システムによって維持されるホーム・アクセス・ポイント識別子と比較することができる。符号７０６で、現在のアクセス・ポイントが、デュアル・モード・サービス・システムによって維持されるホーム・アクセス・ポイント識別子と一致するかどうかに関する判定を行う。そうである場合には、送受話器は、既に現在のアクセス・ポイントに初期化されており、このプロセスは、符号７２０に継続し、ここで、加入者送受話器にデュアル・モード・サービスを提供する。そうでない場合には、符号７０８で、ホーム・アクセス・ポイント識別子が、定数であれ個別化されたデフォルト値であれ、適当なデフォルト値と等しいかどうかに関する判定を行う。ホーム・アクセス・ポイントにデフォルト値がセットされていない場合には、符号７１０でサービスを拒否する。というのは、現在のアクセス・ポイントがホーム・アクセス・ポイント識別子と一致しないことが既に判定されているからである。ホーム・アクセス・ポイント識別子にデフォルト値がセットされている場合には、符号７１２で、加入者がデュアル・モード・サービス・システムに関する有効なアカウントを有するかどうかに関する判定を行う。これには、加入者がデュアル・モード・サービスを選択したかどうかの判定ならびに加入者が有効な無線アカウントを有するかどうかの判定を含めることができる。そうでない場合には、符号７１０でサービスを拒否する。そうである場合には、符号７１４で、送受話器の関係付けられたアクセス・ポイント識別子を含むアクセス・ポイント初期化メッセージ（たとえば、ＵＳＳＤメッセージ）を受け取ることができる。
【００５１】
符号７１６で、関係付けられたアクセス・ポイント識別子を、ホーム・アクセス・ポイント識別子として格納することができる。符号７１８で、肯定応答を送信して、送受話器の成功の初期化について加入者に通知することができる。符号７２０で、加入者送受話器にサービスを提供することができる。
【００５２】
ここで図８に移ると、送受話器をアクセス・ポイントと対にするかこれに関係付ける方法論８００が示されている。符号８０２で、対にすることまたは関係付けを開始する要求を受け取る。この要求は、送受話器が、加入者がホーム・アクセス・ポイントとして指定することを望むアクセス・ポイントの近くにある時に、加入者が開始することができる。符号８０４で、使用可能なアクセス・ポイントのリストを入手する。このリストには、送受話器が感知できる、送受話器の近くのすべてのアクセス・ポイントを含めることができる。各アクセス・ポイントは、可能なアクセス・ポイントのリストを生成するのに使用される情報（たとえば、ＳＳＩＤ）をブロードキャストすることができる。リストを入手したならば、符号８０６で、このリストを加入者に表示することができる。各アクセス・ポイントを、ＳＳＩＤによって表すことができる。符号８０８で、特定のアクセス・ポイントを、アクセス・ポイントのリストから選択する。符号８１０で、特定のアクセス・ポイント識別子（たとえば、ＭＡＣ−ＩＤ）を、図７に関して説明した初期化に備えて入手することができる。
【００５３】
ここで図９を参照すると、ＶｏＩＰ通信に関してデュアル・モード送受話器を利用する方法論９００が示されている。符号９０２で、送受話器のホーム・アクセス・ポイントを検出する。９０４で、デュアル・モード・サービス・システムへの接続を確立する。符号９０６で、接続を提供するアクセス・ポイントのアクセス・ポイント識別子が、デュアル・モード・サービス・システムによって維持されるホーム・アクセス・ポイント識別子と一致するかどうかに関する判定を行う。アクセス・ポイント識別子が一致しない場合には、符号９０８で加入者送受話器がサービスを拒否され、このプロセスは終了する。アクセス・ポイント識別子が一致し、送受話器が、それに関係付けられたアクセス・ポイントを介して接続していることが示される場合には、符号９１０で、加入者アカウントが正常な状態であるかどうかに関する判定を行う。そうでない場合には、符号９０８でサービスを拒否する。そうである場合には、符号９１２で、加入者送受話器にサービスを提供する。有効な物理的住所が、サービスに関する要求の前に提供されていなければならないことに留意することが重要である。有効な物理的住所が提供されていない場合には、加入者プロファイルは、加入者がデュアル・モード・サービスを有しないことを示す。その結果、サービスＥ９１１要件は、サービスを提供できる前に満足されていなければならない。
【００５４】
ここで図１０に移ると、アクセス・ポイントを検出する方法論が示されている。符号１００２で、アクセス・ポイント・ブロードキャスト・メッセージを監視する。符号１００４で、ブロードキャスト・メッセージが検出されたかどうかに関する判定を行う。メッセージが検出されていない場合には、符号１００６でブロードキャスト・メッセージの監視を継続する。メッセージが検出される場合には、符号１００２で、そのブロードキャスト・メッセージを送信したアクセス・ポイントが、デュアル・モード送受話器が制限されているアクセス・ポイントであるかどうかに関する判定を行う。ブロードキャスト・メッセージ内の情報（たとえば、ＳＳＩＤ）を、送受信器で維持されるアクセス・ポイント・プロファイル内の情報と比較して、アクセス・ポイントが、送受話器が関係付けられたか制限されたアクセス・ポイントであるかどうかを判定することができる。アクセス・ポイントが、関係付けられたアクセス・ポイントではない場合には、符号１００２でブロードキャスト・メッセージの監視を継続する。アクセス・ポイントが、ホーム・アクセス・ポイントまたは関係付けられたアクセス・ポイントである場合には、図９に関して上で詳細に述べたように、送受話器は、そのアクセス・ポイントへの接続に進むことができる。
【００５５】
ここで図１１を参照すると、送受話器に関係付けられたアクセス・ポイントをリセットする方法論１１００が示されている。符号１１０２で、送受話器に関連するアクセス・ポイントをリセットする要求を受け取る。この要求には、加入者アカウントおよび関連する送受話器を識別する情報を含めることができる。要求が受け取られたならば、符号１１０４で、要求内で指定された加入者の加入者プロファイルを取り出し、更新することができる。この更新中に、ホーム・アクセス・ポイント識別子を、適当なデフォルト値にリセットすることができる。さらに、加入者が、デュアル・モード・サービスを中止することを望むことを示した場合には、その特徴を、その加入者プロファイル内でオフに切り替えることができる。符号１１０６で、リセット・メッセージまたは中止メッセージを送信して、デュアル・モード・サービスの変更について送受話器に通知することができる。符号１１０８で、リセット・メッセージに応答して、アクセス・ポイント・プロファイルを更新することができる。アクセス・ポイント・プロファイルを、クリアするかリセットすることができる。
【００５６】
ここで図１２を参照すると、上で説明したデュアル・モード・サービスの提供を助けるように動作可能なコンピュータのブロック図が示されている。請求される主題のさまざまな態様の追加の文脈を提供するために、図１２および次の議論は、本明細書で説明されるさまざまな態様を実施できる適切なコンピューティング環境１２００の短い全般的な説明を提供することを意図されたものである。上の説明は、１つまたは複数のコンピュータで実行できるコンピュータ実行可能命令の全般的な文脈におけるものであるが、当業者は、請求される主題を、他のプログラム・モジュールと組み合わせておよび／またはハードウェアとソフトウェアとの組合せとして実施することもできることを了解するであろう。
【００５７】
一般に、プログラム・モジュールは、特定のタスクを実行するか特定の抽象データ型を実施する、ルーチン、プログラム、コンポーネント、データ構造などを含む。さらに、当業者は、本発明的方法を、シングルプロセッサ・コンピュータ・システム、マルチプロセッサ・コンピュータ・システム、ミニコンピュータ、メインフレーム・コンピュータ、ならびにパーソナル・コンピュータ、ハンドヘルド・コンピューティング・デバイス、マイクロプロセッサ・ベースのまたはプログラマブルな消費者エレクトロニクス、および類似物を含む、それぞれが１つまたは複数の関連するデバイスに動作可能に結合され得る、他のコンピュータ・システム構成を用いて実践できることを了解するであろう。
【００５８】
請求される主題の図示の諸態様を、ある種のタスクが通信ネットワークを介してリンクされたリモート処理デバイスによって実行される分散コンピューティング環境で実践することもできる。分散コンピューティング環境では、プログラム・モジュールを、ローカルとリモートとの両方のメモリ・ストレージ・デバイスに配置することができる。
【００５９】
コンピュータは、通常、さまざまなコンピュータ可読媒体を含む。コンピュータ可読媒体は、コンピュータによってアクセスできる任意の使用可能な媒体とすることができ、揮発性媒体と不揮発性媒体、取り外し可能媒体と取り外し不能媒体との両方を含む。限定ではなく例として、コンピュータ可読媒体は、コンピュータ記憶媒体および通信媒体を含むことができる。コンピュータ記憶媒体は、コンピュータ可読命令、データ構造、プログラム・モジュール、または他のデータなどの情報のストレージのための任意の方法またはテクノロジで実施された、揮発性と不揮発性、取り外し可能と取り外し不能との両方の媒体を含む。コンピュータ記憶媒体は、ＲＡＭ、ＲＯＭ、ＥＥＰＲＯＭ、フラッシュ・メモリ、または他のメモリ・テクノロジ、ＣＤ−ＲＯＭ、ディジタル・ビデオ・ディスク（ＤＶＤ）、または他の光ディスク・ストレージ、磁気カセット、磁気テープ、磁気ディスク・ストレージ、または他の磁気記憶デバイス、あるいは所望の情報を記憶するのに使用でき、コンピュータによってアクセスできる任意の他の媒体を含むが、これらに限定はされない。
【００６０】
通信媒体は、通常、搬送波または他のトランスポート機構などの変調されたデータ信号内でコンピュータ可読命令、データ構造、プログラム・モジュール、または他のデータを実施し、任意の情報配送媒体を含む。用語「変調されたデータ信号」は、信号内で情報を符号化する形でその特性のうちの１つまたは複数をセットされるか変更された信号を意味する。限定ではなく例として、通信媒体は、有線ネットワークまたは直接配線接続などの有線媒体と、音響、ＲＦ、赤外線、および他の無線媒体などの無線媒体とを含む。上記のいずれかの組合せも、コンピュータ可読媒体の範囲に含まれなければならない。
【００６１】
図１２をもう一度参照すると、さまざまな態様を実施する例示的環境１２００は、コンピュータ１２０２を含み、コンピュータ１２０２は、処理ユニット１２０４、システム・メモリ１２０６、およびシステム・バス１２０８を含む。システム・バス１２０８は、システム・メモリ１２０６を含むがこれに限定されないシステム・コンポーネントを処理ユニット１２０４に結合する。処理ユニット１２０４は、さまざまな市販プロセッサのうちのいずれかとすることができる。デュアル・マイクロプロセッサおよび他のマルチプロセッサ・アーキテクチャを、処理ユニット１２０４として使用することもできる。
【００６２】
システム・バス１２０８は、メモリ・バス（メモリ・コントローラを伴うまたは伴わない）、周辺バス、およびさまざまな市販バス・アーキテクチャのいずれかを使用するローカル・バスにさらに相互接続できる複数のタイプのバス構造のうちのいずれかとすることができる。システム・メモリ１２０６は、読取専用メモリ（ＲＯＭ）１２１０およびランダム・アクセス・メモリ（ＲＡＭ）１２１２を含む。基本入出力システム（ＢＩＯＳ）が、ＲＯＭ、ＥＰＲＯＭ、ＥＥＰＲＯＭなどの不揮発性メモリ１２１０に格納され、このＢＩＯＳは、スタートアップ中などにコンピュータ１２０２内の要素の間で情報を転送するのを助ける基本ルーチンを含む。ＲＡＭ  １２１２には、データをキャッシングするために、スタティックＲＡＭなどの高速ＲＡＭを含めることもできる。
【００６３】
コンピュータ１２０２は、さらに、適切なシャーシ（図示せず）内で外部使用のために構成することもできる内蔵ハード・ディスク・ドライブ（ＨＤＤ）１２１４（たとえば、ＥＩＤＥ、ＳＡＴＡ）、磁気フロッピ・ディスク・ドライブ（ＦＤＤ）１２１６（たとえば、取り外し可能ディスケット１２１８から読み取り、これに書き込むため）、および光ディスク・ドライブ１２２０（たとえば、ＣＤ−ＲＯＭディスク１２２２を読み取り、あるいは、ＤＶＤなどの他の大容量光媒体から読み取るかこれに書き込むため）を含む。ハード・ディスク・ドライブ１２１４、磁気ディスク・ドライブ１２１６、および光ディスク・ドライブ１２２０を、それぞれハード・ディスク・ドライブ・インターフェース１２２４、磁気ディスク・ドライブ・インターフェース１２２６、および光ドライブ・インターフェース１２２８によってシステム・バス１２０８に接続することができる。外部ドライブ実施態様用のインターフェース１２２４は、少なくとも、Ｕｎｉｖｅｒｓａｌ  Ｓｅｒｉａｌ  Ｂｕｓ（ＵＳＢ）インターフェース・テクノロジおよびＩＥＥＥ  １３９４インターフェース・テクノロジの一方または両方を含む。他の外部ドライブ接続テクノロジが、本革新の企図に含まれる。
【００６４】
ドライブおよびそれに関連するコンピュータ可読媒体は、データ、データ構造、コンピュータ実行可能命令などの不揮発性ストレージを提供する。コンピュータ１２０２のために、ドライブおよび媒体は、適切なディジタル・フォーマットでの任意のデータのストレージに対処する。上のコンピュータ可読媒体の説明は、ＨＤＤ、取り外し可能磁気ディスケット、およびＣＤまたはＤＶＤなどの取り外し可能光媒体に言及するが、当業者は、ｚｉｐドライブ、磁気カセット、フラッシュ・メモリ・カード、カートリッジ、および類似物など、コンピュータによって読み取り可能な他のタイプの媒体を、例示的オペレーティング環境で使用することもでき、任意のそのような媒体が、開示される革新の方法を実行するコンピュータ実行可能命令を含むことができることを了解するであろう。
【００６５】
オペレーティング・システム１２３０、１つまたは複数のアプリケーション・プログラム１２３２、他のプログラム・モジュール１２３４、およびプログラム・データ１２３６を含む複数のプログラム・モジュールを、ドライブおよびＲＡＭ  １２１２に格納することができる。オペレーティング・システム、アプリケーション、モジュール、および／またはデータのすべてまたは諸部分を、ＲＡＭ  １２１２内でキャッシングすることもできる。本革新を、さまざまな市販オペレーティング・システムまたはオペレーティング・システムの組合せと共に実施できることを了解されたい。
【００６６】
ユーザは、１つまたは複数の有線／無線入力デバイス、たとえばキーボード１２３８およびマウス１２４０などのポインティング・デバイスを介して、コンピュータ１２０２にコマンドおよび情報を入力することができる。他の入力デバイス（図示せず）に、マイクロホン、ＩＲリモート・コントロール、ジョイスティック、ゲーム・パッド、スタイラス・ペン、タッチ・スクリーン、または類似物を含めることができる。上記および他の入力デバイスは、しばしば、システム・バス１２０８に結合された入力デバイス・インターフェース１２４２を介して処理ユニット１２０４に接続されるが、パラレル・ポート、ＩＥＥＥ  １３９４シリアル・ポート、ゲーム・ポート、ＵＳＢポート、ＩＲインターフェースなど、他のインターフェースによって接続することができる。
【００６７】
モニタ１２４４または他のタイプのディスプレイ・デバイスも、ビデオ・アダプタ１２４６などのインターフェースを介してシステム・バス１２０８に接続される。モニタ１２４４に加えて、コンピュータは、通常、スピーカ、プリンタなど、他の周辺出力デバイス（図示せず）を含む。
【００６８】
コンピュータ１２０２は、リモート・コンピュータ１２４８などの１つまたは複数のリモート・コンピュータへの有線および／または無線の通信を介する論理接続を使用してネットワーク化された環境で動作することができる。リモート・コンピュータ１２４８は、ワークステーション、サーバ・コンピュータ、ルータ、パーソナル・コンピュータ、ポータブル・コンピュータ、マイクロプロセッサ・ベースのエンターテイメント機器、ピア・デバイス、または他の一般的なネットワーク・ノードとすることができ、通常は、コンピュータ１２０２に関して説明した要素のうちの多数またはすべてを含むが、図を簡潔にするために、メモリ／ストレージ・デバイス１２５０だけを図示する。図示の論理接続は、ローカル・エリア・ネットワーク（ＬＡＮ）１２５２および／またはより大きいネットワーク、たとえば広域ネットワーク（ＷＡＮ）１２５４への有線／無線の接続性を含む。そのようなＬＡＮおよびＷＡＮのネットワーキング環境は、オフィスおよび会社でありふれたものであり、イントラネットなどの会社全体のコンピュータネットワークを容易にし、これらのすべてが、全世界の通信ネットワーク、たとえばインターネットに接続可能である。
【００６９】
ＬＡＮネットワーキング環境で使用される時に、コンピュータ１２０２は、有線および／または無線の通信ネットワーク・インターフェースまたはアダプタ１２５６を介してローカル・ネットワーク１２５２に接続される。アダプタ１２５６は、ＬＡＮ  １２５２への有線または無線の通信を容易にすることができ、ＬＡＮ  １２５２は、無線アダプタ１２５６と通信するためにそこに配置された無線アクセス・ポイントをも含むことができる。
【００７０】
ＷＡＮネットワーキング環境で使用される時に、コンピュータ１２０２は、モデム１２５８を含むことができ、あるいはＷＡＮ  １２５４上の通信サーバに接続され、あるいはインターネットによるなど、ＷＡＮ  １２５４を介する通信を確立する他の手段を有する。モデム１２５８は、内蔵または外付けとすることができ、有線デバイスまたは無線デバイスとすることができるが、シリアル・ポート・インターフェース１２４２を介してシステム・バス１２０８に接続される。ネットワーク化された環境では、コンピュータ１２０２に関して図示されたプログラム・モジュールまたはその諸部分を、リモート・メモリ／ストレージ・デバイス１２５０に格納することができる。図示のネットワーク接続が、例示的であり、コンピュータの間の通信リンクを確立する他の手段を使用できることを了解されたい。
【００７１】
コンピュータ１２０２は、無線通信するように機能的に配置された任意の無線デバイスまたは実体、たとえば、プリンタ、スキャナ、デスクトップ・コンピュータおよび／またはポータブル・コンピュータ、携帯情報端末、通信衛星、無線によって検出可能なタグに関連付けられた任意の機器または位置（たとえば、キオスク、新聞売店、便所）、および電話機と通信するように動作可能である。これには、少なくともＷｉＦｉ無線テクノロジおよびＢｌｕｅｔｏｏｔｈ（商標）無線テクノロジが含まれる。したがって、通信は、従来のネットワークと同様に事前に定義された構造または単純に少なくとも２つのデバイスの間のアド・ホック通信とすることができる。
【００７２】
ＷｉＦｉすなわちＷｉｒｅｌｅｓｓ  Ｆｉｄｅｌｉｔｙは、家庭の長椅子、ホテルの部屋のベッド、または職場の会議室からワイヤなしでインターネットへの接続を可能にする。ＷｉＦｉは、コンピュータなどのデバイスが屋内および戸外で（基地局の範囲内のどこでも）データを送信し、受信することを可能にする、セル電話機に使用されるものに似た無線テクノロジである。ＷｉＦｉネットワークは、ＩＥＥＥ  ８０２．１１（ａ、ｂ、ｇなど）と呼ばれる無線テクノロジを使用して、安全で信頼でき高速の無線接続性を提供する。ＷｉＦｉネットワークを使用して、コンピュータを互いに、インターネットに、および有線ネットワーク（ＩＥＥＥ  ８０２．３またはイーサネット（登録商標）を使用する）に接続することができる。ＷｉＦｉネットワークは、免許不要の２．４ＧＨｚおよび５ＧＨｚ無線帯域で、たとえば１１Ｍｂｐｓ（８０２．１１ａ）または５４Ｍｂｐｓ（８０２．１１ｂ）データ・レートで、または両方の帯域を含む製品を用いて（デュアル・バンド）動作し、したがって、これらのネットワークは、多くのオフィスで使用される基本的な１０ＢａｓｅＴ有線イーサネット（登録商標）・ネットワークに似た実世界の性能を提供することができる。
【００７３】
ここで図１３に移ると、この図には、ＧＳＭコア・ネットワーク１３０１、ＧＰＲＳネットワーク１３３０、およびＩＰマルチメディア・ネットワーク１３３８を含むＧＳＭ／ＧＰＲＳ／ＩＰマルチメディア・ネットワーク・アーキテクチャ１３００が示されている。ＧＳＭコア・ネットワーク１３０１は、移動局（ＭＳ）１３０２、少なくとも１つの基地トランシーバ局（ＢＴＳ）１３０４、および基地局制御装置（ＢＳＣ）１３０６を含む。ＭＳ  １３０２は、携帯電話機またはラップトップ・コンピュータなど、モバイル加入者によって使用される、Ｓｕｂｓｃｒｉｂｅｒ  ｉｄｅｎｔｉｔｙ  Ｍｏｄｕｌｅ（ＳＩＭ）を伴う物理的機器またはＭｏｂｉｌｅ  Ｅｑｕｉｐｍｅｎｔ（ＭＥ）である。ＳＩＭは、加入者の一意識別子であるＩｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ）を含む。ＭＳ  １３０２は、ＭＳ  １３０２によって受信されたメッセージを受け取り、処理する組込みクライアント１３０２ａを含む。組込みクライアント１３０２ａは、ＪＡＶＡ（登録商標）で実施することができ、下でより十分に述べる。
【００７４】
組込みクライアント１３０２ａは、サービスおよび／または情報をエンド・ユーザに提供するアプリケーション１３０２ｂと通信する。アプリケーションの一例は、受信された近リアルタイム交通情報を組込みクライアント１３０２ａを介してエンド・ユーザに提供するナビゲーション・ソフトウェアとすることができる。ナビゲーション・ソフトウェアは、ＭＳ  １３０２の位置に基づいて、道路状況を提供し、代替経路を提案するなどを行うことができる。当業者は、ＭＳ  １３０２を定位する多数の異なる方法およびシステムがあることを理解する。
【００７５】
代替案では、ＭＳ  １３０２およびデバイス１３０２ｃを、ＢＬＵＥＴＯＯＴＨなどの短距離無線通信リンクを介して通信することを可能にされるものとすることができる。たとえば、ＭＳ  １３０２内のＳＩＭと通信するＢＬＵＥＴＯＯＴＨ  ＳＩＭ  Ａｃｃｅｓｓ  Ｐｒｏｆｉｌｅを、自動車（たとえば、デバイス１３０２ｃ）内に設けて、自動車の通信システムがＭＳ  １３０２から情報を引き出すことを可能にすることができる。車両内のＢＬＵＥＴＯＯＴＨ通信システムは、自動車に関連するアンテナを使用する「組込み電話機」になる。その結果は、車両内で行われる呼の改善された受信である。当業者が認めるであろうとおり、自動車は、デバイス１３０２ｃの一例である。ＭＳ  １３０２内のＳＩＭを使用してサービス、情報、データ、オーディオ、ビデオなどをエンド・ユーザに提供する、無数のデバイス１３０２ｃがあり得る。
【００７６】
ＢＴＳ  １３０４は、ラジオ・インターフェースがＭＳと通信することを可能にする、ラジオ塔などの物理的機器である。各ＢＴＳは、複数のＭＳに供給することができる。ＢＳＣ  １３０６は、ＢＴＳを含むラジオ・リソースを管理する。ＢＳＣを、複数のＢＴＳに接続することができる。ＢＳＣコンポーネントおよびＢＴＳコンポーネントの組合せを、一般に、基地局（ＢＳＳ）またはラジオ・アクセス・ネットワーク（ＲＡＮ）１３０３と称する。
【００７７】
ＧＳＭコア・ネットワーク１３０１は、Ｍｏｂｉｌｅ  Ｓｗｉｔｃｈｉｎｇ  Ｃｅｎｔｅｒ（ＭＳＣ）１３０８、Ｇａｔｅｗａｙ  Ｍｏｂｉｌｅ  Ｓｗｉｔｃｈｉｎｇ  Ｃｅｎｔｅｒ（ＧＭＳＣ）１３１０、Ｈｏｍｅ  Ｌｏｃａｔｉｏｎ  Ｒｅｇｉｓｔｅｒ（ＨＬＲ）１３１２、Ｖｉｓｉｔｏｒ  Ｌｏｃａｔｉｏｎ  Ｒｅｇｉｓｔｅｒ（ＶＬＲ）１３１４、認証センタ（ＡｕＣ）１３１６、およびＥｑｕｉｐｍｅｎｔ  Ｉｄｅｎｔｉｔｙ  Ｒｅｇｉｓｔｅｒ（ＥＩＲ）１３１８をも含む。ＭＳＣ  １３０８は、ネットワークのスイッチング機能を実行する。ＭＳＣは、登録、認証、位置更新、ハンドオーバ、および呼ルーティングなどの他の機能をも実行する。ＧＭＳＣ  １３１０は、ＧＳＭネットワークと、サービス総合ディジタル網（ＩＳＤＮ）または公衆交換電話網（ＰＳＴＮ）１３２０などの他のネットワークとの間のゲートウェイを提供する。言い換えると、ＧＭＳＣ  １３１０は、外部ネットワークとのインターワーキング機能性を提供する。
【００７８】
ＨＬＲ  １３１２は、対応するＧＳＭネットワーク内で登録された各加入者に関する管理情報を含むデータベースまたはコンポーネント（１つまたは複数）である。ＨＬＲ  １３１２は、各ＭＳの現在位置をも含む。ＶＬＲ  １３１４は、ＨＬＲ  １３１２からの選択された管理情報を含むデータベースまたはコンポーネント（１つまたは複数）である。ＶＬＲは、そのＶＬＲによって制御される地理的区域内に現在配置されているＭＳごとに、呼制御および加入されたサービスの提供に必要な情報を含む。ＨＬＲ  １３１２およびＶＬＲ  １３１４は、ＭＳＣ  １３０８と一緒に、ＧＳＭの呼ルーティング機能およびローミング機能を提供する。ＡｕＣ  １３１６は、認証機能および暗号化機能に必要なパラメータを提供する。そのようなパラメータは、加入者のアイデンティティの検証を可能にする。ＥＩＲ  １３１８は、モバイル機器に関するセキュリティに敏感な情報を格納する。
【００７９】
ショート・メッセージ・サービス・センタ（ＳＭＳＣ）１３０９は、１対１ショート・メッセージ・サービス（ＳＭＳ）メッセージをＭＳ  １３０２へ／から送信することを可能にする。Ｐｕｓｈ  Ｐｒｏｘｙ  Ｇａｔｅｗａｙ（ＰＰＧ）１３１１は、ＭＳ  １３０２にコンテンツを「プッシュする」（たとえば、同期式要求なしで送信する）のに使用される。ＰＰＧ  １３１１は、ＭＳ  １３０２へのデータのプッシュを容易にするために、有線ネットワークと無線ネットワークとの間のプロキシとして働く。Ｓｈｏｒｔ  Ｍｅｓｓａｇｅ  Ｐｅｅｒ  ｔｏ  Ｐｅｅｒ（ＳＭＰＰ）プロトコル・ルータ１３１３が、ＳＭＳベースのＳＭＰＰメッセージをセル・ブロードキャスト・メッセージに変換するために設けられる。ＳＭＰＰは、ショート・メッセージ・サービス・センタなど、ＳＭＳピア・エンティティの間でＳＭＳメッセージを交換するプロトコルである。ＳＭＰＰは、しばしば、サード・パーティ、たとえばニュース組織などのコンテンツ・サプライヤが大量のメッセージをサブミットすることを可能にするのに使用される。
【００８０】
音声、データ、およびショート・メッセージ・サービス（ＳＭＳ）など、ＧＳＭサービスへのアクセスを得るために、ＭＳは、まず、位置更新およびＩＭＳＩアタッチ手順を実行することによってその現在位置を示すためにネットワークに登録する。ＭＳ  １３０２は、その現在位置情報を含む位置更新を、ＢＴＳ  １３０４およびＢＳＣ  １３０６を介してＭＳＣ／ＶＬＲに送信する。この位置情報は、次に、ＭＳのＨＬＲに送られる。ＨＬＲは、ＭＳＣ／ＶＬＲから受信された位置情報を用いて更新される。位置更新は、ＭＳが新しい位置区域に移動する時にも実行される。通常、位置更新は、位置更新イベントが発生する時にデータベースを更新するために周期的に実行される。
【００８１】
ＧＰＲＳネットワーク１３３０は、論理的には、２つのパケット交換ネットワーク・ノード、ｓｅｒｖｉｎｇ  ＧＰＲＳ  ｓｕｐｐｏｒｔ  ｎｏｄｅ（ＳＧＳＮ）１３３２、セル・ブロードキャスト、およびＧａｔｅｗａｙ  ＧＰＲＳ  ｓｕｐｐｏｒｔ  ｎｏｄｅ（ＧＧＳＮ）１３３４を導入することによって、ＧＳＭコア・ネットワーク・アーキテクチャ上で実施される。ＳＧＳＮ  １３３２は、ＧＳＭネットワーク内ではＭＳＣ  １３０８と同一の階層レベルにある。ＳＧＳＮは、ＧＰＲＳネットワークとＭＳ  １３０２との間の接続を制御する。ＳＧＳＮは、個々のＭＳの位置およびセキュリティ機能とアクセス制御とをも記憶する。
【００８２】
Ｃｅｌｌ  Ｂｒｏａｄｃａｓｔ  Ｃｅｎｔｅｒ（ＣＢＣ）１３３３は、通常は指定された区域内の複数のユーザに配送されるセル・ブロードキャスト・メッセージを通信する。セル・ブロードキャストは、１対多の地理的に焦点を合わされたサービスである。セル・ブロードキャストは、メッセージがブロードキャストされる時にそのネットワーク・カバレージ・エリアの所与の部分内に位置する複数の携帯電話機顧客にメッセージを通信することを可能にする。
【００８３】
ＧＧＳＮ  １３３４は、ＧＰＲＳネットワークとｐｕｂｌｉｃ  ｄａｔａ  ｎｅｔｗｏｒｋ（ＰＤＮ）または他のＩＰネットワーク１３３６との間のゲートウェイを提供する。すなわち、ＧＧＳＮは、外部ネットワークとのインターワーキング機能性を提供し、ＳＧＳＮを介するＭＳへの論理リンクをセット・アップする。パケット交換データがＧＰＲＳネットワークから出る時に、そのデータは、Ｘ．２５ネットワークまたはインターネットなどの外部ＴＣＰ−ＩＰネットワーク１３３６に転送される。ＧＰＲＳサービスにアクセスするために、ＭＳは、まず、アタッチ手順を実行することによってＧＰＲＳネットワークにそれ自体をアタッチする。次に、ＭＳは、パケット・データ・プロトコル（ＰＤＰ）コンテキストをアクティブ化し、したがって、ＭＳ、ＳＧＳＮ、およびＧＧＳＮの間のパケット通信セッションをアクティブ化する。
【００８４】
ＧＳＭ／ＧＰＲＳネットワークでは、ＧＰＲＳサービスおよびＧＳＭサービスを並列に使用することができる。ＭＳは、３つのクラスの１つすなわちクラスＡ、クラスＢ、およびクラスＣで動作することができる。クラスＡ  ＭＳは、同時にＧＰＲＳサービスとＧＳＭサービスとの両方についてネットワークにアタッチすることができる。クラスＡ  ＭＳは、ＧＰＲＳサービスおよびＧＳＭサービスの同時動作をもサポートする。たとえば、クラスＡモバイルは、ＧＳＭ音声／データ／ＳＭＳ呼およびＧＰＲＳデータ呼を同時に受信することができる。クラスＢ  ＭＳは、同時にＧＰＲＳサービスとＧＳＭサービスとの両方についてネットワークにアタッチすることができる。しかし、クラスＢ  ＭＳは、ＧＰＲＳサービスおよびＧＳＭサービスの同時動作をサポートすしない。すなわち、クラスＢ  ＭＳは、所与の時にこの２つのサービスのうちの１つを使用することしかできない。クラスＣ  ＭＳは、一時にＧＰＲＳサービスおよびＧＳＭサービスのうちの１つだけについてアタッチすることができる。ＧＰＲＳサービスおよびＧＳＭサービスの同時アタッチメントおよび同時動作は、クラスＣ  ＭＳでは不可能である。
【００８５】
ＧＰＲＳネットワーク１３３０は、３つのネットワーク動作モード（ＮＯＭ１、ＮＯＭ２、およびＮＯＭ３）で動作するように設計することができる。ＧＰＲＳネットワークのネットワーク動作モードは、セル内で送信されるシステム情報メッセージ内のパラメータによって示される。システム情報メッセージは、ＭＳに、どこでページング・メッセージをリスンすべきかおよびネットワークに向けてどのようにシグナリングすべきかを指図する。ネットワーク動作モードは、ＧＰＲＳネットワークの機能を表す。ＮＯＭ１ネットワークでは、ＭＳは、データ呼にかかわる時に回線交換ドメイン（音声呼）からページを受信することができる。ＭＳは、そのＭＳの能力に応じて、データ呼を延期するか、両方を同時にとることができる。ＮＯＭ２ネットワークでは、ＭＳは、データを受信しており、ページング・チャネルをリスンしてはいないので、データ呼にかかわる時に回線交換ドメインからページを受信することができない。ＮＯＭ３ネットワークでは、ＭＳは、受信データの間に回線交換網のページを監視し、その逆を行うことができる。
【００８６】
ＩＰマルチメディア・ネットワーク１３３８は、３ＧＰＰ  Ｒｅｌｅａｓｅ  ５と共に導入され、豊かなマルチメディア・サービスをエンド・ユーザに提供するためにＩＰマルチメディア・サブシステム（ＩＭＳ）１３４０を含む。ＩＭＳ  １３４０内のネットワーク・エンティティの代表的なセットは、呼／セッション制御機能（ＣＳＣＦ）、メディア・ゲートウェイ制御機能（ＭＧＣＦ）１３４６、メディア・ゲートウェイ（ＭＧＷ）１３４８、およびホーム加入者サーバ（ＨＳＳ）１３５０と呼ばれるマスタ加入者データベースである。ＨＳＳ  １３５０は、ＧＳＭネットワーク１３０１、ＧＰＲＳネットワーク１３３０、ならびにＩＰマルチメディア・ネットワーク１３３８に共通とすることができる。
【００８７】
ＩＰマルチメディア・サブシステム１３４０は、呼／セッション制御機能を中心に構築され、呼／セッション制御機能には、３つのタイプすなわち、問合せＣＳＣＦ（Ｉ−ＣＳＣＦ）１３４３、プロキシＣＳＣＦ（Ｐ−ＣＳＣＦ）１３４２、およびサービングＣＳＣＦ（Ｓ−ＣＳＣＦ）１３４４がある。Ｐ−ＣＳＣＦ  １３４２は、ＭＳの、ＩＭＳ  １３４０との第１接触点である。Ｐ−ＣＳＣＦ  １３４２は、ＭＳから受信されたセッション・イニシエーション・プロトコル（ＳＩＰ）メッセージをＭＳのホーム・ネットワーク内のＳＩＰサーバに（およびその逆に）転送する。Ｐ−ＣＳＣＦ  １３４２は、ネットワーク・オペレータによって定義されるルールのセットに従って（たとえば、住所分析および潜在的変更）、発信要求を変更することもできる。
【００８８】
Ｉ−ＣＳＣＦ  １３４３は、ホーム・ネットワークへの入口を形成し、ホーム・ネットワークの内側トポロジを他のネットワークから隠蔽し、Ｓ−ＣＳＣＦを選択する柔軟性を提供する。Ｉ−ＣＳＣＦ  １３４３は、ｓｕｂｓｃｒｉｂｅｒ  ｌｏｃａｔｉｏｎ  ｆｕｎｃｔｉｏｎ（ＳＬＦ）１３４５に連絡して、複数のＨＳＳ  １３５０が存在する場合に、特定の加入者について使用すべきＨＳＳ  １３５０を判定することができる。Ｓ−ＣＳＣＦ  １３４４は、ＭＳ  １３０２のセッション制御サービスを実行する。これには、発するセッションを外部ネットワークにルーティングすることと、終端するセッションを訪問されるネットワークにルーティングすることとを含む。Ｓ−ＣＳＣＦ  １３４４は、アプリケーション・サーバ（ＡＳ）１３５２が、適当なサービス・ハンドリングを保証するために着信ＳＩＰセッション要求に関する情報を受信するのに必要であるかどうかをも判断する。この判断は、ＨＳＳ  １３５０（または、アプリケーション・サーバ１３５２などの他のソース）から受け取られる情報に基づく。ＡＳ  １３５２は、ＭＳ  １３０２の位置（たとえば、緯度／経度座標）を提供するロケーション・サーバ１３５６（たとえば、Ｇａｔｅｗａｙ  Ｍｏｂｉｌｅ  Ｌｏｃａｔｉｏｎ  Ｃｅｎｔｅｒ（ＧＭＬＣ））にも通信する。
【００８９】
ＨＳＳ  １３５０は、加入者プロファイルを含み、現在どのコア・ネットワーク・ノードが加入者を処理しているかを記憶する。ＨＳＳ  １３５０は、加入者認証および許可機能（ＡＡＡ）をもサポートする。複数のＨＳＳ  １３５０を有するネットワークでは、加入者位置決め機能は、所与の加入者のプロファイルを含むＨＳＳ  １３５０に関する情報を提供する。
【００９０】
ＭＧＣＦ  １３４６は、ＩＭＳ  １３４０からのＳＩＰセッション制御シグナリングと外部ＧＳＴＮネットワーク（図示せず）からのＩＳＵＰ／ＢＩＣＣ呼制御シグナリングとの間のインターワーキング機能性を提供する。ＭＧＣＦ  １３４６は、ユーザプレーン・インターワーキング機能性（たとえば、ＡＭＲコーディングされた音声とＰＣＭコーディングされた音声との間の変換）を提供するメディア・ゲートウェイ（ＭＧＷ）１３４８をも制御する。ＭＧＷ  １３４８は、他のＩＰマルチメディア・ネットワーク１３５４とも通信する。
【００９１】
上で説明したものは、請求される主題の例を含む。もちろん、請求される主題の説明において構成要素または方法論の考えられるすべての組合せを記述することは不可能であるが、当業者は、そのようなものの多数のさらなる組合せおよび置換が可能であることを認めることができる。したがって、請求される主題が、添付の特許請求の範囲の趣旨および範囲に含まれるすべての変更、修正、および変形を含むことが意図されている。さらに、用語「ｉｎｃｌｕｄｅｓ」が詳細な説明または請求項のいずれかで使用される範囲で、そのような用語は、用語「ｃｏｍｐｒｉｓｉｎｇ」が請求項で前後を接続する単語として使用される時に解釈されるものに類似する形で包含的であることが意図されている。
【図１】
0005537938.tif 000002
【図２】
0005537938.tif 000003
【図３】
0005537938.tif 000004
【図４】
0005537938.tif 000005
【図５】
0005537938.tif 000006
【図６】
0005537938.tif 000007
【図７】
0005537938.tif 000008
【図８】
0005537938.tif 000009
【図９】
0005537938.tif 000010
【図１０】
0005537938.tif 000011
【図１１】
0005537938.tif 000012
【図１２】
0005537938.tif 000013
【図１３】
0005537938.tif 000014